(57)【要約】【課題】  ソータ部の省スペース化を図ることができる画像形成装置を得る。【解決手段】  搬送用ベルトコンベア８０は、排出部６８から排出された感光性記録紙１６をトレイ７２へ搬送し、トレイ７２に感光性記録紙１６が収容される。ここで、搬送用ベルトコンベア８０は、排出部６８に一端部が隣接され、他端部が複数のトレイ７２の各々と隣接する位置に移動可能となっているので、各トレイ７２へ感光性記録紙１６を振り分けることができる。【選択図】      図２
2006219225.tif 000002
【特許請求の範囲】
【請求項１】
排出部から排出された記録材料を収容する複数のトレイと、
前記排出部に一端部が隣接され、他端部が前記複数のトレイの各々と隣接する位置に移動可能であり、前記排出部から排出された前記記録材料を前記トレイへ搬送する搬送手段と、
を有することを特徴とする画像形成装置。
【請求項２】
前記搬送手段が、搬送コンベアであって、前記排出部側に配置される第１プーリーと、前記トレイ側に配置される第２プーリーと、前記第１プーリー及び前記第２プーリーに巻き掛けられる無端ベルトと、前記第１プーリーへ同軸的に固着された第１軸及び前記第２プーリーへ同軸的に固着された第２軸を回転可能に支持すると共に前記第１軸を中心として揺動するアームと、を備えることを特徴とする請求項１記載の画像形成装置。
【請求項３】
前記トレイが、前記記録材料の搬送幅方向又は上下方向に往復移動可能であることを特徴とする請求項１又は請求項２に記載の画像形成装置。
【請求項４】
前記トレイを支持する支持部を有し、前記トレイが係合手段を備えると共に、前記支持部が前記係合手段と係合可能な被係合手段を備え、前記係合手段が前記被係合手段と係合されることによって、前記トレイが前記搬送手段の前記他端部の移動位置に隣接して設置されることを特徴とする請求項１から３のいずれか一項に記載の画像形成装置。
【請求項５】
前記トレイの下方にあって前記搬送手段の前記他端部の移動位置に隣接して配置される移送コンベアを有し、前記移送コンベアが前記搬送手段からの前記記録材料を前記トレイを経由することなく受け取って前記記録材料を他装置へ向けて移送することを特徴とする請求項１から４のいずれか一項に記載の画像形成装置。
【発明の詳細な説明】
【技術分野】
【０００１】
本発明は、記録材料へ画像を記録した後に排出する画像形成装置に関する。
【背景技術】
【０００２】
記録材料へ画像を形成し現像等で固定化する画像形成装置においては、シートを仕分け集積するために、ソータ部を設ける場合がある（例えば、特許文献１参照）。このようなソータ部では、複数のトレイが無限軌道状の搬送手段に装着されており、回転移動されるようになっている。
【０００３】
このような従来の画像形成装置では、複数のトレイを回転移動させるため、ソータ部が大きなスペースを必要とする。
【特許文献１】特開２００２−２２０１５１公報
【発明の開示】
【発明が解決しようとする課題】
【０００４】
本発明は、上記事実を考慮して、ソータ部の省スペース化を図ることができる画像形成装置を提供することを課題とする。
【課題を解決するための手段】
【０００５】
請求項１に記載する本発明の画像形成装置は、排出部から排出された記録材料を収容する複数のトレイと、前記排出部に一端部が隣接され、他端部が前記複数のトレイの各々と隣接する位置に移動可能であり、前記排出部から排出された前記記録材料を前記トレイへ搬送する搬送手段と、を有することを特徴とする。
【０００６】
請求項１に記載する本発明の画像形成装置によれば、排出部から排出された記録材料が搬送手段によってトレイへ搬送され、トレイに記録材料が収容される。ここで、搬送手段は、排出部に一端部が隣接され、他端部が複数のトレイの各々と隣接する位置に移動可能となっているので、搬送手段の他端部は、記録材料の種類や大きさ等に応じて対応したトレイの各々と隣接する位置へ移動して記録材料を振り分ける。
【０００７】
請求項２に記載する本発明の画像形成装置は、請求項１記載の構成において、前記搬送手段が、搬送コンベアであって、前記排出部側に配置される第１プーリーと、前記トレイ側に配置される第２プーリーと、前記第１プーリー及び前記第２プーリーに巻き掛けられる無端ベルトと、前記第１プーリーへ同軸的に固着された第１軸及び前記第２プーリーへ同軸的に固着された第２軸を回転可能に支持すると共に前記第１軸を中心として揺動するアームと、を備えることを特徴とする。
【０００８】
請求項２に記載する本発明の画像形成装置によれば、搬送手段が、搬送コンベアであり、無端ベルト上に記録材料を載せてトレイへ搬送する。ここで、搬送コンベアは、アームが第１軸を中心として揺動し、記録材料を各トレイへ振り分ける。
【０００９】
請求項３に記載する本発明の画像形成装置は、請求項１又は請求項２に記載の構成において、前記トレイが、前記記録材料の搬送幅方向又は上下方向に往復移動可能であることを特徴とする。
【００１０】
請求項３に記載する本発明の画像形成装置によれば、トレイが記録材料の搬送幅方向又は上下方向に往復移動し、搬送手段によって搬送された記録材料が各トレイに振り分けられる。
【００１１】
請求項４に記載する本発明の画像形成装置は、請求項１から３のいずれか一項に記載の構成において、前記トレイを支持する支持部を有し、前記トレイが係合手段を備えると共に、前記支持部が前記係合手段と係合可能な被係合手段を備え、前記係合手段が前記被係合手段と係合されることによって、前記トレイが前記搬送手段の前記他端部の移動位置に隣接して設置されることを特徴とする。
【００１２】
請求項４に記載する本発明の画像形成装置によれば、係合手段が被係合手段と係合されることによって、トレイが搬送手段の他端部の移動位置に隣接して設置され、搬送手段によって搬送された記録材料が、設置されたトレイに収容される。
【００１３】
請求項５に記載する本発明の画像形成装置は、請求項１から４のいずれか一項に記載の構成において、前記トレイの下方にあって前記搬送手段の前記他端部の移動位置に隣接して配置される移送コンベアを有し、前記移送コンベアが前記搬送手段からの前記記録材料を前記トレイを経由することなく受け取って前記記録材料を他装置へ向けて移送することを特徴とする。
【００１４】
請求項５に記載する本発明の画像形成装置によれば、移送コンベアが搬送手段からの記録材料をトレイを経由することなく受け取って記録材料を他装置へ向けて移送する。
【発明の効果】
【００１５】
以上説明したように、本発明の画像形成装置によれば、ソータ部の省スペース化を図ることができるという優れた効果を有する。
【発明を実施するための最良の形態】
【００１６】
本発明における画像形成装置の第１の実施形態を図面に基づき説明する。
（画像形成装置の全体構成）
図１に示すように、画像形成装置としてのプリンタプロセッサ１０は、露光装置としてのプリンタ１２及び現像装置としてのプロセッサ１４を備えている。
【００１７】
プリンタ１２は、記録材料としての感光性記録紙１６を搬送しながら、画像データに基づいて画像記録を行うものである。感光性記録紙１６の搬送路に沿って複数の搬送ローラ対が設けられており、これらの搬送ローラ対は、駆動ローラとニップローラとから構成される。
【００１８】
プリンタ１２には、搬送方向の最上流部に供給部１８が設けられる。供給部１８には、ロール状に巻かれた長尺の感光性記録紙１６を収納するマガジン２０がセットされる。マガジン２０には、感光材料からなる感光性記録紙１６を引き出して下流側に向けて搬送するための引出ローラ２２が設けられている。
【００１９】
マガジン２０の搬送方向の下流側には、感光性記録紙１６に形成されたスプライスホール（図示省略）を検出するためのスプライスセンサ２４が設けられ、さらにその下流側には、感光性記録紙１６を切断するためのカッタ２６が設けられている。スプライスセンサ２４がスプライスホール（図示省略）を検出した後に、所定長だけ送り出された感光性記録紙１６を、カッタ２６がプリントサイズ（例えば、Ｌ、パノラマ、２Ｌ等）に合せて切断するようになっている。
【００２０】
カッタ２６の下流側には、裏印字部２８が設けられる。裏印字部２８は、写真の撮影日などのプリント情報を、感光性記録紙１６の非記録面（露光面と反対側の面）に記録する裏印字装置３０を備える。裏印字装置３０は、裏印字ヘッド３２とプラテン３４とで構成されている。
【００２１】
裏印字部２８の搬送方向の下流側には、レジスト部３６が設けられる。レジスト部３６は、露光位置・角度ズレを防止するために、感光性記録紙１６の傾き及び幅方向の位置を調整するレジスト用ローラ対３８と、このレジスト用ローラ対３８の前後に配置される複数の搬送ローラ対から構成される。
【００２２】
レジスト部３６の搬送方向の下流側には、画像記録部４０が設けられる。画像記録部４０は、露光ユニット４２、副走査ローラ対４４、４６、及び、感光性記録紙１６の通過を検出する記録紙センサ４５によって構成される。露光ユニット４２は、感光性記録紙１６の先端が通過したことを記録紙センサ４５が検出すると、画像データに基づいて強度変調された赤、緑、青の光ビームＬＢを主走査方向（搬送方向と直交する方向）に走査して、感光性記録紙１６に画像を記録する。副走査ローラ対４４、４６は、光ビームＬＢによる露光位置を挟むように搬送方向の上流側及び下流側に配置され、感光性記録紙１６を所定の速度で副走査方向（搬送方向と平行な方向）に搬送する。
【００２３】
画像記録部４０の搬送方向の下流側には、副走査受け部４８が設けられる。副走査受け部４８は、画像記録中に画像記録部４０から送り出される感光性記録紙１６の先端部を保持する複数のローラ対を備えており、画像記録部４０による搬送速度と同一の速度にて感光性記録紙１６を下流側に送り出す。
【００２４】
副走査受け部４８の搬送方向の下流側には、振分部５０が設けられている。振分部５０は、単列で搬送された感光性記録紙１６を予め定められた第１速度で搬送しながら、これを主走査方向に２列に振り分けるものである。また、振分部５０の下流側の搬出部５２は、振分部５０から送られる感光性記録紙１６を、プロセッサ１４の処理速度に対応する第２速度にて搬送し、プロセッサ１４へ送る。振分部５０と搬出部５２には、感光性記録紙１６の在否を検出するためのセンサ部５１、５３がそれぞれに設けられる。
【００２５】
プロセッサ１４は、現像処理部６０、乾燥処理部６４、振戻部６６、及びソータ部７０から構成される。現像処理部６０には、搬送方向の上流側から順に、現像槽６１、漂白定着槽６２と、第１水洗槽６３Ａ、第２水洗槽６３Ｂ、第３水洗槽６３Ｃ、第４水洗槽６３Ｄからなる水洗槽６３とが設けられている。現像槽６１には現像液が、漂白定着槽６２には漂白定着液が、また、第１水洗槽６３Ａ〜第４水洗槽６３Ｄには洗浄水が、それぞれ所定量貯蔵されており、感光性記録紙１６が、現像槽６１、漂白定着槽６２、および第１水洗槽６３Ａ〜第４水洗槽６３Ｄの槽内を搬送されることで、現像・定着・洗浄の各処理が行われる。
【００２６】
現像処理部６０の上方には、乾燥処理部６４が配置されており、この乾燥処理部６４は、搬送ベルトと送風ダクトとから構成されている。送風ダクトは搬送ベルトに向けてヒータで熱せられた乾燥風を吹き出して、感光性記録紙１６を搬送ベルト側に押し付ける。この状態で送風ダクトの上を通過させることで、感光性記録紙１６に付着した洗浄水が除去される。
【００２７】
乾燥処理部６４の搬送方向の下流側には、振戻部６６が設けられる。振戻部６６では、２列で搬送された感光性記録紙１６が単列に振り戻される。振戻部６６の出口となる排出部６８には、一対の排出ローラ対６８Ａが配置され、この排出ローラ対６８Ａによって感光性記録紙１６がソータ部７０へ排出されるようになっている。
（ソータ部の構成）
図２及び図３には、ソータ部７０の構成が示されている。図２及び図３に示されるように、ソータ部７０には、スイング式の搬送用ベルトコンベア８０、及び、排出部６８から排出された感光性記録紙１６を収容する複数のトレイ７２が設けられている。
【００２８】
搬送用ベルトコンベア８０は、排出部６８側に配置される第１プーリー８１とトレイ７２側に配置される第２プーリー８２とを備え、第１プーリー８１及び第２プーリー８２に無端ベルト８４が巻き掛けられている。搬送用ベルトコンベア８０の一端部（上流側部分）は、排出部６８に隣接される。
【００２９】
図３に示されるように、第１プーリー８１へ同軸的に固着された軸８１Ａの両端側は、プロセッサ１４の本体から立設された一対の支柱８８へ軸支されている。この第１軸８１Ａは、一対のスイングアーム８６の基端部（図３の左側）が回転可能に支持している。また、第１軸８１Ａの一端部は、減速機付きベルト駆動用モータＭ１に連結されており、ベルト駆動用モータＭ１は、制御部１００に接続されて回転量が制御される。このベルト駆動用モータＭ１が回転することで、第１プーリー８１が回転するようになっている。
【００３０】
一対のスイングアーム８６は、感光性記録紙１６の搬送方向（矢印Ｓ方向）に平行な方向へ延びている。スイングアーム８６同士は、スイングアーム８６の延出方向に直角な方向に延びる図示しない連結部材によって連結されており、スイングアーム８６の先端部（図３の右側部分）は、第２プーリー８２へ同軸的に固着された第２軸８２Ａの両端部を回転可能に支持している。
【００３１】
一対のスイングアーム８６の基端部には、それぞれ第２ピニオン８７が固定されており、この第２ピニオン８７は、スイングアーム８６を介して無端ベルト８４の反対側に配置されている。ここで、第２ピニオン８７は、第２ピニオン８７の中心を貫通する第１プーリー８１の第１軸８１Ａを回転可能に支持している。
【００３２】
第２ピニオン８７には、下方に配置されたラック９０が噛み合っている。ラック９０は、排出部６８よりやや上流側における記録紙搬送幅方向（矢印Ｗ方向）の両側付近から、感光性記録紙１６の搬送方向（矢印Ｓ方向）に平行な方向へ棒状に延びている。
【００３３】
各第２ピニオン８７よりも搬送方向上流側には、ラック９０に噛み合う第１ピニオン９２が配置されており、一対の第１ピニオン９２と同軸的に軸９３が固定されている。軸９３の一端側は、ステッピングモータとしての第１ピニオン駆動用モータＭ２に連結されており、第１ピニオン駆動用モータＭ２は、制御部１００に接続されている。制御部１００は、仕分けの条件（例えば、１オーダー毎の記録紙のオーダー毎の仕分け、サイズ毎の仕分け等）や各種の指令（例えば、割り込み指令、他装置への転送指令等）に応じて第１ピニオン駆動用モータＭ２の回転方向及び回転量を制御するようになっている。
【００３４】
第１ピニオン駆動用モータＭ２の回転によって軸９３及び第１ピニオン９２に回転運動が伝えられるようになっており、第１ピニオン９２の回転運動からラック９０に直線運動を伝え、ラック９０の直線運動から第２ピニオン８７に回転運動を伝えることで、図２に示されるように、スイングアーム８６は、第１軸８１Ａを中心として首振り方向（矢印Ａ方向）に揺動されて感光性記録紙１６を振り分けるようになっている。
【００３５】
これにより、搬送用ベルトコンベア８０の他端部（下流側部分）は、複数のトレイ７２の各々と隣接する位置に移動可能となっており、排出部６８から排出された感光性記録紙１６を必要に応じて搬送路を切り替えながら、トレイ７２へ受け渡して搬送するようになっている。
【００３６】
図３に示されるように、各トレイ７２は、幅方向両側に複数（本実施形態では２個ずつ）の係合片７２Ａを備えており、これらの係合片７２Ａは、プロセッサ１４に立設されてトレイ７２を支持する複数（本実施形態では両側２本ずつ）のトレイ支持柱９４の係合溝９４Ａと係合されるようになっている。これにより、トレイ７２が、搬送用ベルトコンベア８０からの感光性記録紙１６を受け取る所定の高さで、搬送用ベルトコンベア８０の他端部（下流側部分）の移動位置に隣接して設置される。ここで、係合片７２Ａと係合溝９４Ａとは、係合手段と係合受手段（被係合手段）とを構成している。
【００３７】
本実施形態におけるトレイ７２の設置は、図２に示されるように、５枚の常用トレイの下に１枚の搬送方向（図３の矢印Ｓ方向）に長い大サイズトレイが配置されている。ここで、常用トレイには、２５４ｍｍの長尺ペーパーが収容できる大きさで、一般的な１オーダー分の集積が可能な深さを備えたものが適用されている。
【００３８】
また、トレイ７２を増設する場合には、増設用のトレイ７２の係合片７２Ａ（図３参照）を増設用の係合溝９４Ａに係合させればよい。増設用のトレイ７２の係合片７２Ａ（図３参照）は、増設用のトレイ７２が搬送用ベルトコンベア８０の他端部（下流側部分）の移動位置に隣接する位置となるように予め設計された位置に設けられる。
【００３９】
トレイ７２の下方には、移送用ベルトコンベア９６が設けられている。移送用ベルトコンベア９６は、搬送用ベルトコンベア８０側に配置された第３プーリー９６Ａとプロセッサ１４の端部側（図２の右端部側）に配置された第４プーリー９６Ｂとを備え、第３プーリー９６Ａ及び第４プーリー９６Ｂに無端ベルト９６Ｃが巻き掛けられている。
【００４０】
この移送用ベルトコンベア９６は、搬送用ベルトコンベア８０の他端部（下流側部分）の移動位置に隣接して配置され、図示しないモータにより駆動し、搬送用ベルトコンベア８０によって搬送された感光性記録紙１６をトレイ７２を経由することなく受け取って感光性記録紙１６を他装置（例えば、多数件対応の可能な仕分け装置や自動梱包装置等）へ向けて移送（転送）することができるようになっている。
（第１実施形態の作用）
次に、上記の実施形態の作用を説明する。
【００４１】
図１に示されるように、プリンタ１２において、長尺の感光性記録紙１６は、マガジン２０から引き出されると、カッタ２６によって所定のプリントサイズに切断され、裏印字部２８、レジスト部３６を経て、画像記録部４０で画像が記録される。画像記録後、感光性記録紙１６は、副走査受け部４８、振分部５０を経て、搬出部５２からプロセッサ１４側へ排出される。
【００４２】
プロセッサ１４に搬入された感光性記録紙１６は、現像処理部６０で現像・定着・洗浄の各処理が行われた後、乾燥処理部６４で感光性記録紙１６に付着した洗浄水が除去され、振戻部６６の排出部６８からソータ部７０へ排出される。
【００４３】
図３に示されるように、排出部６８から排出された感光性記録紙１６は、ベルト駆動用モータＭ１によって回転する搬送用ベルトコンベア８０の無端ベルト８４上に載置され、図２に示されるように、トレイ７２又は移送用ベルトコンベア９６へ向けて搬送される。ここで、搬送用ベルトコンベア８０の第１、第２プーリー８１、８２へ同軸的に固着された第１軸８１Ａ、８２Ａの両端側を回転可能に支持するスイングアーム８６は、以下により、第１軸８１Ａを中心として首振り方向（矢印Ａ方向）に揺動される。
【００４４】
すなわち、第１ピニオン駆動用モータＭ２により軸９３及び第１ピニオン９２が回転し、これに伴ってラック９０が直進移動すると、第２ピニオン８７が回転し、これによってスイングアーム８６が第１軸８１Ａを中心として首振り方向（矢印Ａ方向）に揺動される。
【００４５】
ここで、図３に示される制御部１００が仕分けの条件（例えば、１オーダー毎の記録紙のオーダー毎の仕分け、サイズ毎の仕分け等）や各種の指令（例えば、割り込み指令、他装置への転送指令等）に応じて第１ピニオン駆動用モータＭ２の回転方向及び回転量を制御するので、感光性記録紙１６は、ユーザの操作に従って、各トレイ７２へ仕分けされて収容されるか、移送用ベルトコンベア９６へ搬出される。
【００４６】
このように、搬送用ベルトコンベア８０は、排出部６８に一端部（上流側部分）が隣接され、図２に示されるように、他端部（下流側部分）が複数のトレイ７２の各々と隣接する位置に移動可能となっているので、感光性記録紙１６の仕分けのために、複数のトレイ７２を回転移動させる構造とする必要がなく、ソータ部７０の省スペース化を図ることができ、コストを抑えることも可能となる。
【００４７】
また、搬送用ベルトコンベア８０の他端部（下流側部分）の移動位置に隣接してトレイ７２が増設可能となっており、搬送用ベルトコンベア８０は、排出部６８から排出された感光性記録紙１６を増設したトレイ７２へも搬送可能となっているので、増設したトレイ７２に合せて搬送機構を追加する必要がない。
【００４８】
また、搬送用ベルトコンベア８０の他端部（下流側部分）の移動位置に隣接して配置される移送用ベルトコンベア９６が、感光性記録紙１６を他装置へ向けて移送するので、移送用ベルトコンベア９６への搬送機構を追加しなくても感光性記録紙１６を他装置（例えば、多数件対応の可能な仕分け装置や自動梱包装置等）へ向けて移送することができる。
【００４９】
さらに、搬送用ベルトコンベア８０を支持するスイングアーム８６が、上下方向に揺動して往復移動するので、１オーダー分の処理中に複数の割り込み処理をし、割り込み処理終了後に割り込み前のトレイ７２へ再排出することが可能となる。
【００５０】
さらにまた、搬送用ベルトコンベア８０を支持するスイングアーム８６が、揺動（扇状に回転移動）することで、単一の駆動源（第１ピニオン駆動用モータＭ２）で仕分けができると共に、複数の排出部や複数のベルトコンベアによる搬送路を設ける必要がない。
（第２の実施形態）
次に、画像形成装置の第２の実施形態を図４に基づき説明する。第１の実施形態では、図２に示されるように、ラック９０、第１ピニオン９２及び第２ピニオン８７によってスイングアーム８６を揺動させる場合について説明したが、第２の実施形態は、図４に示されるように、リンク機構９８によりスイングアーム８６を揺動させる形態である。なお、他の点の構成については、第１の実施形態とほぼ同様の構成であるので、同一符号を付して説明を省略する。
【００５１】
図４に示されるように、ステッピングモータとしてのスイングアーム駆動用モータＭ３の出力軸Ｍ３１には、クランクアーム９８Ａの一端部が固定されている。クランクアーム９８Ａの他端部には、連結部材９８Ｂの一端部が回転可能に連結されており、連結部材９８Ｂの他端部は、スイングアーム８６の中央部に回転可能に連結されている。
【００５２】
スイングアーム駆動用モータＭ３は、制御部１００に接続されている。制御部１００は、仕分けの条件（例えば、１オーダー毎の記録紙のオーダー毎の仕分け、サイズ毎の仕分け等）や各種の指令（例えば、割り込み指令、他装置への転送指令等）に応じてスイングアーム駆動用モータＭ３の回転方向及び回転量を制御するようになっている。
【００５３】
ユーザの操作に従って、制御部１００に制御されるスイングアーム駆動用モータＭ３が回転し、クランクアーム９８Ａ、連結部材９８Ｂを介してスイングアーム８６に運動が伝わる。これにより、スイングアーム８６は、第１軸８１Ａを中心として首振り方向（矢印Ａ方向）に揺動し、感光性記録紙１６が各トレイ７２へ仕分けされて収容されるか、移送用ベルトコンベア９６へ搬出される。
【００５４】
このように、リンク機構９８を適用すれば、簡易な構成でスイングアーム８６を揺動させることができる。
【００５５】
なお、スイングアーム８６を揺動させる駆動機構は、上記第１、第２の実施形態の例に限定されず、例えば、ベルト機構を用いて駆動モータの回転運動をスイングアーム８６に伝えてスイングアーム８６を揺動させる等の他の駆動機構を用いてもよい。
（第３の実施形態）
次に、画像形成装置の第３の実施形態を図５に基づき説明する。第３の実施形態は、複数のトレイ７２が感光性記録紙１６の記録紙搬送幅方向（矢印Ｗ方向）に往復移動可能である形態である。なお、他の点については、第１の実施形態とほぼ同様の構成であるので、同一符号を付して説明を省略する。
【００５６】
図５に示されるように、各トレイ７２の幅ＷＴ（記録紙搬送幅方向（矢印Ｗ方向）の長さ）は、搬送用ベルトコンベア８０の幅ＷＣ（記録紙搬送幅方向（矢印Ｗ方向）の長さ）に比べて広い寸法（約２倍）となっている。最下段のトレイ７２の下方には、支持板１０２が配置されており、この支持板１０２の四隅から上方に向って４本のトレイ支持柱９４が立設されている。支持板１０２の底面四隅には、移動用車輪１０４が取り付けられている。
【００５７】
プロセッサ１４（図１参照）の上部には、移動用車輪１０４を案内する一対のガイドレール１０６が架け渡されている。ガイドレール１０６は、記録紙搬送幅方向（矢印Ｗ方向）に延びており、ガイドレール１０６の長手方向に沿ってガイド溝１０６Ａが形成され、ガイドレール１０６の両端部には、ストッパ１０６Ｂが形成される。このガイドレール１０６に案内される移動用車輪１０４が回転すると、支持板１０２、トレイ支持柱９４、及びトレイ７２が、記録紙搬送幅方向（矢印Ｗ方向）に移動するようになっている。
【００５８】
支持板１０２の底面には、歯を下方に向けたラック１０８が固定されており、このラック１０８は、ガイドレール１０６と平行な方向へ延びている。ラック１０８には、ピニオン１１０が噛み合っており、ピニオン１１０は、駆動モータＭ４に連結されている。駆動モータＭ４は、正転及び逆転が可能であり、制御部１００に接続されて回転方向及び回転量が制御される。この駆動モータＭ４が回転することで、ピニオン１１０が回転し、ラック１０８の直線移動に伴って支持板１０２、トレイ支持柱９４、及びトレイ７２が移動するようになっている。また、駆動モータＭ４が正転及び逆転することで、トレイ７２が記録紙搬送幅方向（矢印Ｗ方向）に往復移動する。
【００５９】
また、トレイ７２を記録紙搬送幅方向（矢印Ｗ方向）に往復移動させることで、感光性記録紙１６の用紙サイズが小さい場合（プリンタプロセッサ１０（図１参照）で処理可能な感光性記録紙１６の最大幅に対して１／２以下の幅寸法とされる感光性記録紙１６の場合）には、１枚のトレイ７２で複数オーダーの仕分けをすることができ、感光性記録紙１６の仕分け量を増やすことが可能となる。
【００６０】
なお、トレイ７２を往復移動させる手段は、上記第３の実施形態の例に限定されず、送りネジ機構等の他の直線移動機構を適用してもよい。また、上記第３の実施形態では、トレイ７２を記録紙搬送幅方向（矢印Ｗ方向）に往復移動させているが、他の実施形態として、周知の直線移動機構（例えば、ラック・アンド・ピニオン機構、送りネジ機構等）を用いてトレイ７２を上下方向に往復移動させてもよい。スイング式の搬送用ベルトコンベア８０の傾き可能角度には限界があるため、トレイ７２を（上方又は下方に）増設すると共にトレイ７２を上下方向に往復移動させれば、感光性記録紙１６の仕分け量を増やすことが可能となる。
【００６１】
また、上記第１〜第３の実施形態では、排出部６８（図２等参照）から排出された感光性記録紙１６（記録材料）をトレイ７２又は移送用ベルトコンベア９６（移送コンベア）へ搬送する搬送コンベアとして、スイング式の搬送用ベルトコンベア８０を用いた場合について具体的に説明したが、搬送コンベアは、これに限定されず、例えば、搬送コンベアが姿勢を維持したまま上下方向に往復移動するものであってもよく、１箇所の排出部から複数のトレイ又は移送コンベアへ向けて記録材料を搬送可能であればよい。
【００６２】
さらに、搬送手段として、例えば、搬送用ベルトコンベア８０の代わりに複数の搬送ローラを適用し、各搬送ローラへ同軸的に固着された軸をアームが回転可能に支持すると共に、このアームを上下方向に往復移動（例えば、上記実施形態のような揺動又は姿勢を維持したままの移動等）させ、搬送ローラによって１箇所の排出部から複数のトレイ又は移送コンベアへ向けて記録材料を搬送してもよい。
【図面の簡単な説明】
【００６３】
【図１】本発明の第１の実施形態に係るプリンタプロセッサの全体構成を示す概略構成図である。
【図２】本発明の第１の実施形態に係るプリンタプロセッサのソータ部の構成を示す概略構成図である。（図３の２−２線断面に相当する。）
【図３】本発明の第１の実施形態に係るプリンタプロセッサのソータ部の構成を示す平面図である。（搬送用ベルトコンベアの下流側部分が最上段のトレイに隣接した状態を示す。）
【図４】本発明の第２の実施形態に係るプリンタプロセッサのソータ部の構成を示す概略構成図である。
【図５】本発明の第３の実施形態に係るプリンタプロセッサのソータ部の構成を示す斜視図である。
【符号の説明】
【００６４】
１０    プリンタプロセッサ（画像形成装置）
１６    感光性記録紙（記録材料）
６８    排出部
７２    トレイ
７２Ａ  係合片（係合手段）
８０    搬送用ベルトコンベア（搬送コンベア（搬送手段））
８１    第１プーリー
８１Ａ  第１軸
８２    第２プーリー
８２Ａ  第２軸
８４    無端ベルト
８６    スイングアーム（アーム）
９４    トレイ支持柱（支持部）
９４Ａ  係合溝（被係合手段）
９６    移送用ベルトコンベア（移送コンベア）
Ｗ      記録紙搬送幅方向（搬送幅方向）
【図１】
2006219225.tif 000003
【図２】
2006219225.tif 000004
【図３】
2006219225.tif 000005
【図４】
2006219225.tif 000006
【図５】
2006219225.tif 000007